(57)【要約】【課題】  サイドステップ時に生じるアッパーの変形を効果的に規制する。【解決手段】  着用者の足の第５指基節骨ＰＰ５骨体側面に相当する位置のアッパー部位に固着された始端Ａを有し、第４指中足骨ＭＰ４骨頭上に相当する位置のアッパー部位上に配置された終端Ｃを有する第１のベルト部材１０と、第５指中足骨ＭＢ５骨体側面に相当する位置のアッパー部位に固着された始端Ｂを有し、第４指中足骨ＭＰ４骨頭上に相当する位置のアッパー部位上に配置された終端Ｃを有しかつ当該終端Ｃが第１のベルト部材１０の終端Ｃに一致している第２のベルト部材１１と、各ベルト部材１０，１１の終端Ｃを始端として第１指中足骨ＭＢ１骨体側面に相当する位置のアッパー部位まで延びる第３のベルト部材１２とから足甲ベルト１を構成する。足甲ベルト１は、アッパー足甲部上に略Ｙ字状に配設されている。【選択図】  図１
2008259685.tif 000002
【特許請求の範囲】
【請求項１】
スポーツシューズの緊締構造において、
当該緊締構造が、シューズのアッパーの足甲部に配設される足甲ベルトを有しており、
前記足甲ベルトが、
着用者の足の第５指基節骨骨体側面に相当する位置のアッパー部位に固着された始端を有し、第４指中足骨骨頭上に相当する位置のアッパー部位上に配置された終端を有する第１のベルト部材と、
着用者の足の第５指中足骨骨体側面に相当する位置のアッパー部位に固着された始端を有し、第４指中足骨骨頭上に相当する位置のアッパー部位上に配置された終端を有しかつ当該終端が前記第１のベルト部材の前記終端に一致している第２のベルト部材と、
前記第１および第２のベルト部材の前記終端を始端として、着用者の足の第１指中足骨骨体側面に相当する位置のアッパー部位まで延びる第３のベルト部材と、
前記第３のベルト部材を介して当該足甲ベルトを緊締するための足甲ベルト緊締手段とを備え、
前記足甲ベルトがアッパーの足甲部上に略Ｙ字状に配設されている、
ことを特徴とするスポーツシューズの緊締構造。
【請求項２】
請求項１において、
前記第１および第２のベルト部材の各始端が、第５指中足趾節関節を外れた位置に配置されている、
ことを特徴とするスポーツシューズの緊締構造。
【請求項３】
請求項１において、
前記第２のベルト部材の始端が、第５指中足骨骨頭近傍に相当する位置に配置されている、
ことを特徴とするスポーツシューズの緊締構造。
【請求項４】
請求項１において、
前記第２のベルト部材の始端が、第５指中足骨骨体の中央部に相当する位置に配置されている、
ことを特徴とするスポーツシューズの緊締構造。
【請求項５】
請求項１において、
前記第３のベルト部材の終端が、第１指中足骨骨体の中央部に相当する位置に配置されている、
ことを特徴とするスポーツシューズの緊締構造。
【請求項６】
請求項１において、
前記足甲ベルト緊締手段が、
アッパーの内甲側に設けられ、前記第３のベルト部材を通すためのベルト通し具と、
前記ベルト通し具を通ってアッパーの外甲側に折り返された前記第３のベルト部材を当該第３のベルト部材またはアッパー外甲側部分に係止するための係脱可能な係止手段とから構成されている、
ことを特徴とするスポーツシューズの緊締構造。
【請求項７】
請求項６において、
前記ベルト通し具が、アッパーの内甲側部位に固着されたベルト片に取り付けられたＤ環から構成されている、
ことを特徴とするスポーツシューズの緊締構造。
【請求項８】
請求項６において、
前記ベルト通し具が、シューズのソール構成部材に形成されたスリットにより構成されている、
ことを特徴とするスポーツシューズの緊締構造。
【請求項９】
請求項８において、
前記ソール構成部材が、ソール内に配設された、樹脂製のプレートであって、前記スリットが、前記プレートの側部に設けられている、
ことを特徴とするスポーツシューズの緊締構造。
【請求項１０】
請求項９において、
前記プレートが、前後方向に進む波形状を有するウェーブプレートである、
ことを特徴とするスポーツシューズの緊締構造。
【請求項１１】
請求項８において、
前記ソール構成部材が、ミッドソールまたはアウトソールである、
ことを特徴とするスポーツシューズの緊締構造。
【請求項１２】
請求項１において、
第５指中足骨骨体側面に相当する位置からアッパーの足甲上部を通ってシューズの履き口部の内甲側部分の位置まで延びる足甲上部ベルトをさらに備え、
前記足甲上部ベルトが、シューズの中足部において実質的に足幅方向に延設されて前記第３のベルト部材に連結されるとともに、当該足甲上部ベルトを緊締するための足甲上部ベルト緊締手段を有している、
ことを特徴とするスポーツシューズの緊締構造。
【請求項１３】
請求項１２において、
前記足甲上部ベルトが、シューズの中足部においてソールの底面側に配設されている、
ことを特徴とするスポーツシューズの緊締構造。
【請求項１４】
請求項１２において、
前記足甲上部ベルトが、シューズの中足部においてソールを幅方向に貫通するスリットを通って足幅方向に配設されている、
ことを特徴とするスポーツシューズの緊締構造。
【請求項１５】
請求項１２において、
前記足甲上部ベルトが、シューズの中足部において、アッパーを幅方向に貫通するスリットを通り、アッパーの内部においてインソールの上面または下面に沿って足幅方向に延びている、
ことを特徴とするスポーツシューズの緊締構造。
【請求項１６】
請求項１２において、
前記足甲上部ベルトまたは第３のベルト部材のいずれか一方が一端にＤ環を有しており、前記足甲上部ベルトまたは第３のベルト部材の他方が、前記Ｄ環を通って折り返された後、前記足甲上部ベルト、第３のベルト部材またはアッパーに係脱可能に係止されるようになっている、
ことを特徴とするスポーツシューズの緊締構造。
【請求項１７】
請求項１２において、
前記足甲上部ベルトが、前記第３のベルト部材と一体に設けられている、
ことを特徴とするスポーツシューズの緊締構造。
【請求項１８】
請求項１２ないし１７のいずれかにおいて、
前記足甲上部ベルトが、シューズの外甲側においてアッパーの外側に配設されている、
ことを特徴とするスポーツシューズの緊締構造。
【請求項１９】
請求項１２ないし１７のいずれかにおいて、
前記足甲上部ベルトが、シューズの外甲側においてアッパーに形成されたスリットを通ってアッパーの内側に配設されている、
ことを特徴とするスポーツシューズの緊締構造。
【請求項２０】
請求項１２において、
前記足甲上部ベルト緊締手段が、
シューズの履き口部の内甲側部分に配設された履き口ベルトに取り付けられたＤ環と、
前記Ｄ環を通ってアッパーの外甲側に折り返された前記足甲上部ベルトをアッパー外甲側部分に係止するための係脱可能な係止手段とから構成されている、
ことを特徴とするスポーツシューズの緊締構造。
【請求項２１】
請求項１２において、
前記足甲上部ベルト緊締手段が、
前記足甲上部ベルトの先端に取り付けられたＤ環と、
シューズの履き口部に配設された履き口ベルトと、
前記Ｄ環を通って折り返された前記履き口ベルトを当該履き口ベルトまたはアッパーに係止するための係脱可能な係止手段とから構成されている、
ことを特徴とするスポーツシューズの緊締構造。
【発明の詳細な説明】
【技術分野】
【０００１】
本発明は、スポーツシューズの緊締構造に関し、詳細には、サイドステップ時に生じるアッパーの変形を効果的に規制でき、さらには、サイドステップ時に生じるシューズ履き口の変形を利用してアッパーの変形を規制できるようにした緊締構造の改良に関する。
【背景技術】
【０００２】
スポーツシューズの緊締構造として、例えば特開２００３−１２５８０５号公報や特開平８−３１７８０１号公報に示すようなものが提案されている。
【０００３】
特開２００３−１２５８０５号公報に示す緊締構造は、甲被足甲上部の内外甲側にそれぞれ配設されたベルト部材４１，４２からなるベルト締結機構４と、甲被前足部の内外甲側にそれぞれ配設されたベルト部材４１’，４２’からなるベルト締結機構４’とを有している。各ベルト締結機構４，４’の左右の各ベルト部材４１，４２および４１’，４２’は、甲被開口部を挟んでほぼ対称な位置に配設されている（同公報の段落［００３６］参照）。
【０００４】
当該公報に示す緊締構造においては、各ベルト部材を左右対称に配置したことにより、各ベルト部材を互いに逆方向に引っ張った際に、甲被部にねじれや皺が生じることなく、甲被内甲側部および甲被外甲側部を均等に引き寄せて、着用者の足甲部全体をシューズの甲被部で包み込むように保持している。
【０００５】
特開平８−３１７８０１号公報に示す緊締構造は、甲被前足部に配設された前ベルト３Ａと、甲被足甲部に配設された中ベルト３Ｂと、甲被足甲上部に配設された後ベルト３Ｃとを有している。
【０００６】
当該公報に示す緊締構造においては、前ベルト３Ａの緊締により足の前足部を締め付けるとともに、中ベルト３Ｂおよび後ベルト３Ｃの緊締により、アウタ１を立ち上げて足根部を締め付ける（同公報の段落［００２１］参照）ことによって、アウタ１を足にフィットさせるようにしている。
【０００７】
上記各公報に示すシューズの緊締構造では、シューズの甲被部の前足部および足甲部にそれぞれ対応して配設された各ベルトを締め付けることにより、甲被部の各部分を着用者の足の前足部および足甲部にフィットさせるようにしており、シューズとしての一般的なフィット性を高めるように構成されているだけである。
【０００８】
本願の発明者らは、横方向の動きが多いバレーボールやバスケットボールなどの球技系種目において、サイドステップ時に競技者の足に作用する力について鋭意研究を進めた結果、上述した従来のシューズの緊締構造では、サイドステップ時にアッパーの変形を十分に規制できず、また、このとき着用者の足の不適切な位置に過大な圧力が作用していることを突き止めた。
【特許文献１】特開２００３−１２５８０５号公報（図１および図３参照）
【特許文献２】特開平８−３１７８０１号公報（図２参照）
【発明の開示】
【発明が解決しようとする課題】
【０００９】
本発明は、このような従来の実情に鑑みてなされたものであり、本発明が解決しようとする課題は、サイドステップ時に生じるアッパーの変形を効果的に規制できるスポーツシューズの緊締構造を提供することにある。また、本発明は、サイドステップ時に生じるスポーツシューズの履き口の変形を利用してアッパーの変形を規制できる緊締構造を提供しようとしている。
【課題を解決するための手段】
【００１０】
一般に、サイドステップは、横方向に跳躍する動作であるが、跳躍の直前には、着用者は、着地後、足を屈曲してから蹴り出し動作に移行している。
【００１１】
このようなサイドステップにおいて、足の着地時には、シューズのアッパーの外甲側に大きな圧力が作用していると考えられる。そこで、本願の発明者らは、まず、着地時にシューズのアッパーに作用する力の分布を求めることから始めた。
【００１２】
図１７に示すように、長手方向に延びる８個の圧力センサシートＳ１〜Ｓ８を用意し、被験者の足の第１指Ｔ１に圧力センサシートＳ１〜Ｓ３、第２指に圧力センサシートＳ４、第３指に圧力センサシートＳ５、第４指に圧力センサシートＳ６、第５指に圧力センサシートＳ７およびＳ８をそれぞれ貼着した。ここで、第１指については、第１指の上面に圧力センサシートＳ２、Ｓ３を配置し、第１指の側面（内甲側面）に圧力センサシートＳ１を配置した。また、第５指については、第５指の上面に圧力センサシートＳ７を配置し、第５指の側面（外甲側面）に圧力センサシートＳ８を配置した。なお、図１７中、曲線ＭＪは、足の中足趾節関節を示している。
【００１３】
被験者が圧力センサシートＳ１〜Ｓ８を足に貼り付けた状態でシューズを履き、サイドステップを行ったとき、各圧力センサシートＳ１〜Ｓ８はシューズのアッパーから圧力を受けるが、このとき、各圧力センサシートＳ１〜Ｓ８により検出された各圧力を一つの図にまとめたものが、図１８に示す圧力分布図である。
【００１４】
図１８中、実線の四角で囲まれた領域Ｒは、図１７中の一点鎖線の四角で囲まれた領域Ｒに対応している。したがって、図１８では、領域Ｒの上側が足甲側を、下側がつま先側を、右側が外甲側を、左側が内甲側をそれぞれ示している。また、図１８において、横軸に目盛られた各部Ｓ１〜Ｓ８は、図１７の各圧力センサシートＳ１〜Ｓ８の幅にそれぞれ対応している。さらに、図１８中、色が濃い程、圧力が高いことを示している。
【００１５】
図１８から分かるように、圧力センサシートＳ３〜Ｓ５において一部高い圧力が発生している個所もあるが、圧力センサシートＳ６〜Ｓ８においては、大部分の領域で高い圧力が発生していることが分かる。また、図１８中に書き入れた中足趾節関節ＭＪの位置を見れば、第５指中足趾節関節の位置およびその周囲の領域に高い圧力が作用していることが分かる。
【００１６】
したがって、サイドステップの際の足の着地時には、着用者の足の第５指中足趾節関節の位置およびその周囲の領域がシューズのアッパーから高い押付圧を受けており、このとき、第５指中足趾節関節の位置およびその周囲の領域に対応するアッパー部位に高い押付圧が作用して、当該アッパー部位が最大変形を生じている。
【００１７】
その一方、図１９は、足の着地時に足からシューズのアッパーに作用する押付圧によりアッパーに発生する引張応力の分布をコンピュータシミュレーションにより求め、これを足の骨格図の上に重ねて表したものである。なお、図１９中、第５指に付された各参照符号において、ＤＰ５は末節骨を、ＭＰ５は中節骨を、ＰＰ５は基節骨を、ＭＢ５は中足骨を、ＭＪ５は中足趾節関節をそれぞれ示している。
【００１８】
図１９に示すように、アッパーに発生する引張応力は、着用者の足の第５指中足趾節関節ＭＪ５およびその周囲で高くなっており、これは、図１８の結果とほぼ一致している。
【００１９】
次に、サイドステップの際の足の屈曲動作時には、シューズ内甲側側面図である図１５に示すように、着用者Ｐの足の踵部分Ｈは接地面Ｇから浮いており、足のつま先部分Ｔのみが接地面Ｇと接地した状態にある。また、このとき、図１５のシューズを同図のやや前方上側から見た図である図１６に示すように、着用者Ｐの脚は内甲側に傾いた状態にある。なお、図１６中には、シューズのアッパーの圧縮ひずみ分布が併せて示されており、ここで、アッパーの「圧縮ひずみ」とは、アッパーの圧縮変形後の長さから元の長さを引いたもの（圧縮変形量）を元の長さで割った値であり、図１６中、色が濃いほど圧縮ひずみが大きいことを表している。
【００２０】
図１６から分かるように、アッパーの圧縮ひずみは、アッパー足甲部の第１指中足骨骨頭直上付近で大きくなっている。また同図中、点線で囲まれた部分は、着用者の足の第１指中足骨骨体部に相当しており、当該部分における圧縮ひずみは相対的に小さいことが分かる。
【００２１】
以上のことから、本願の発明者らは、サイドステップの際の足の着地時に生じるアッパーの変形を効果的に規制するためには、シューズのアッパー外甲側部位において、緊締ベルトの一端を着用者の足の第５指中足趾節関節およびその周囲に対応するアッパー外甲側部位に固着すればよいと考えた。また、本願の発明者らは、サイドステップの際の足の屈曲時には、第１指中足骨骨頭直上でアッパーの圧縮ひずみが大きいため、シューズの緊締ベルトは、第１指中足骨骨頭直上の位置を外れた位置に設けるのが好ましいと判断した。さらに、本願の発明者らは、当該緊締ベルトの他端は、アッパー内甲側部位において、アッパーの変形が小さい、足の第１指中足骨骨体部に相当するアッパー部位まで延設して止着するようにすればよいと考えた。
【００２２】
本願発明は、以上のような考察結果に基づいてなされたものであって、本願の請求項１の発明に係るスポーツシューズの緊締構造は、図１の模式図に示すように、シューズのアッパーの足甲部に配設される足甲ベルト（１）を有している。当該足甲ベルト（１）は、着用者の足の第５指基節骨（ＰＰ５）骨体側面に相当する位置のアッパー部位に固着された始端（Ａ）を有し、第４指中足骨（ＭＢ４）骨頭上に相当する位置のアッパー部位上に配置された終端（Ｃ）を有する第１のベルト部材（１０）と、第５指中足骨（ＭＢ５）骨体側面に相当する位置のアッパー部位に固着された始端（Ｂ）を有し、第４指中足骨（ＭＢ４）骨頭上に相当する位置のアッパー部位上に配置された終端（Ｃ）を有しかつ当該終端（Ｃ）が第１のベルト部材（１０）の終端（Ｃ）に一致している第２のベルト部材（１１）と、第１および第２のベルト部材（１０，１１）の終端（Ｃ）から着用者の足の第１指中足骨（ＭＢ１）骨体側面に相当する位置のアッパー部位まで延びる第３のベルト部材（１２）と、第３のベルト部材（１２）を介して当該足甲ベルト（１）を緊締するための足甲ベルト緊締手段とを備えており、足甲ベルト（１）がアッパーの足甲部上に略Ｙ字状に配設されている。
【００２３】
なお、本願明細書中、「骨体」とは、骨先端の骨頭部および骨末端の骨底部を除く骨の中間部位を指している。
【００２４】
請求項１の発明によれば、足甲ベルト（１）を構成する第１、第２のベルト部材（１０，１１）の始端（Ａ，Ｂ）が、第５指基節骨（ＰＰ５）骨体側面に相当する位置および第５指中足骨（ＭＢ５）骨体側面に相当する位置の各アッパー部位に配置されているので、サイドステップの際の足の着地時に足からアッパーに作用する押付圧を第１、第２のベルト部材（１０，１１）で略均等に受けることができ、これにより、アッパーの変形を効果的に規制できる。
【００２５】
また、この場合には、第１、第２のベルト部材（１０，１１）の始端（Ａ，Ｂ）が足の第５指中足趾節関節（ＭＪ５）の位置に配置されていないので、サイドステップの際の足の着地時に第５指が中足趾節関節（ＭＪ５）で屈曲する際に、第５指の屈曲が各ベルト部材（１０，１１）によって阻害されるのを防止できるとともに、第５指に対する足当たりを良好にすることができる。
【００２６】
しかも、この場合には、足甲ベルト（１）がアッパーの足甲部上にＹ字状に配設されているので、足甲ベルト緊締手段により第３のベルト部材（１２）を緊締した際には、第３のベルト部材（１２）の張力が第１、第２のベルト部材（１０，１１）のＶ字状の配設部分に作用する。すると、第５指中足趾節関節（ＭＪ５）の前後位置における第５指の部位が各ベルト部材（１０，１１）により挟み込まれるようにして保持される。これにより、足の第５指がシューズのアッパー内で前後方向にずれるのを確実に防止できるようになる。
【００２７】
これに対して、従来の緊締構造のように、足甲ベルトを単にアッパー幅方向に配設しただけのものでは、サイドステップの際の足の着地時に足の第５指がアッパー内で前後方向にずれる恐れがある。
【００２８】
ここで、サイドステップの際の足の着地動作時に生じる床反力の方向を測定して、ソールに作用する最大せん断力方向を求めたところ、図１中、第１指中足趾節関節ＭＪ１内の中心Ｏからそれぞれ延びる矢印Ｘ方向および矢印Ｙ方向で挟まれた領域において、中心Ｏから延びる方向に最大せん断力方向が発生していることが判明した。その一方、第３のベルト部材（１２）の配設方向は、始端（Ｃ）から終端（Ｄ）に向かう方向であるが、この場合、終端（Ｄ）を第１指中足骨（ＭＢ１）の骨体のどの位置に配置したところで、第３のベルト部材（１２）の配設方向は、矢印Ｘ方向および矢印Ｙ方向で挟まれた領域に位置している。
【００２９】
したがって、第３のベルト部材（１２）の始端（Ｃ）および終端（Ｄ）を上述した位置に配置することにより、第３のベルト部材（１２）の配設方向を最大せん断力方向と略一致させることができ、これにより、サイドステップの際の足の着地動作時に生じる床反力を第３のベルト部材（１２）によって効果的に支持できるようになる。
【００３０】
さらに、請求項１の発明によれば、第３のベルト部材（１２）の終端（Ｄ）が、屈曲時にアッパーの圧縮ひずみが大きい第１指中足骨（ＭＢ１）骨頭位置を避けて、第１指中足骨（ＭＢ１）骨体側面に配設されているので、第１指に対する足当りを良好にすることができる。
【００３１】
ところで、上述した特開２００３−１２５８０５号公報の図１に記載された緊締構造のシューズの場合、第２のベルト部材（４２’）の基端部（４２’ａ）は二股になっているが、これらの二股状部分はいずれもシューズ幅方向に平行に配設されており、本願の請求項１の発明のように、アッパー上でＶ字状に交差するようには設けられていない。また、二股状部分のうちの前側部分は、着用者の足の第５指中足趾節関節とオーバラップする位置に設けられている。
【００３２】
請求項２の発明では、第１および第２のベルト部材（１０，１１）の各始端（Ａ，Ｂ）が、第５指中足趾節関節（ＭＪ５）を外れた位置に配置されている。
【００３３】
この場合には、サイドステップの際の足の着地時に第５指が中足趾節関節（ＭＪ５）で屈曲するときに、第５指の屈曲が各ベルト部材（１０，１１）によって阻害されるのを確実に防止できる。
【００３４】
請求項３の発明では、第２のベルト部材（１１）の始端（Ｂ）が、第５指中足骨（ＭＢ５）骨頭近傍に相当する位置に配置されている。
【００３５】
この場合には、第１、第２のベルト部材（１０，１１）によるＶ字状の配設部分の交差角度が小さくなって、第５指基節骨（ＰＰ５）の骨底部および第５指中足骨（ＭＢ５）の骨頭部が第１、第２のベルト部材（１０，１１）で強固に挟持されることになるので、足の第５指がシューズのアッパー内で前後方向にずれるのをより確実に防止できるようになる。
【００３６】
第２のベルト部材（１１）の始端（Ｂ）は、請求項４の発明に記載されているように、第５指中足骨（ＭＢ５）骨体の中央部に相当する位置に配置されていてもよい。
【００３７】
第２のベルト部材（１１）の始端（Ｂ）の位置としては、少なくとも第５指中足骨（ＭＢ５）の骨頭位置を避けていることが必要であるが、第５指中足骨（ＭＢ５）が長さの長い骨であるため、第２のベルト部材（１１）の始端（Ｂ）の位置は、第５指中足骨（ＭＢ５）の骨体の前側の位置に限らず、中央の位置でもよい。このように、第２のベルト部材（１１）の始端位置を、標準的な足の第５指中足骨の骨体中央位置に相当するアッパー部位に配置した場合には、着用者の足の長さや形状に個体差があった場合でも、第２のベルト部材（１１）の始端位置は、着用者の足の第５指中足骨の骨体中央位置の近傍領域に配置されることになる。
【００３８】
請求項５の発明では、第３のベルト部材（１２）の終端（Ｄ）が、第１指中足骨（ＭＢ１）骨体の中央部に相当する位置に配置されている。
【００３９】
この場合には、図１において、ソールの長軸をＬとするとき、第３のベルト部材（１２）の配設方向は、長軸Ｌから約７０°の方向にある。その一方、矢印Ｘ方向は長軸Ｌから外甲側に３０°の方向にあり、矢印Ｙ方向は長軸Ｌから外甲側に１１０°の方向にある。このことから、第３のベルト部材（１２）の配設方向は、矢印Ｘ方向と矢印Ｙ方向の中央値の方向と一致していることが分かる。
【００４０】
したがって、第３のベルト部材（１２）の終端（Ｄ）の位置を請求項５の発明に記載された位置に配置することにより、第３のベルト部材（１２）の配設方向を平均的な最大せん断力方向と一致させることができ、これにより、サイドステップの際の着地動作時に生じる床反力を第３のベルト部材（１２）によって一層効果的に支持できるようになる。
【００４１】
請求項６の発明では、足甲ベルト緊締手段が、アッパーの内甲側に設けられかつ第３のベルト部材（１２）を通すためのベルト通し具と、ベルト通し具を通ってアッパーの外甲側に折り返された第３のベルト部材（１２）を当該第３のベルト部材（１２）またはアッパー外甲側部分に係止するための係脱可能な係止手段とから構成されている。
【００４２】
ベルト通し具は、請求項７の発明では、アッパーの内甲側部位に固着されたベルト片に取り付けられたＤ環から構成されており、請求項８の発明では、シューズのソール構成部材に形成されたスリットにより構成されている。
【００４３】
ベルト通し具をＤ環から構成する場合には、着用者の足に対する足当たり感を悪化させないように、Ｄ環の位置を考慮する必要があるが、スリットの場合には、このような配慮をする必要がない。なお、本願明細書中、「Ｄ環」とは、Ｄ字形のリングのみならず、矩形状や楕円状等のリングを含む趣旨である。
【００４４】
請求項９の発明では、ソール構成部材が、ソール内に配設された樹脂製のプレートであり、スリットが、プレートの側部に設けられている。この場合には、スリットとしての強度を確保できる。
【００４５】
プレートは、請求項１０の発明に記載されているように、前後方向に進む波形状を有するウェーブプレートであってもよい。
【００４６】
この場合には、着地時のソールの横触れを防止するためのウェーブプレートを利用してスリットを設けることができ、Ｄ環のような別個の部材を設ける必要がない。
【００４７】
請求項１１の発明では、ソール構成部材がミッドソールまたはアウトソールである。
【００４８】
すなわち、この場合には、ミッドソールまたはアウトソールに形成されたスリットにより、ベルト通し具が構成される。
【００４９】
請求項１２の発明では、図１の模式図に示すように、第５指中足骨（ＭＢ５）骨体側面に相当する位置（Ｅ）からアッパーの足甲上部を通ってシューズの履き口部の内甲側部分の位置（Ｆ）まで延びる足甲上部ベルト（２）をさらに備えており、足甲上部ベルト（２）が、シューズの中足部において実質的に幅方向に延設されて第３のベルト部材（１２）に連結されるとともに、当該足甲上部ベルト（２）を緊締するための足甲上部ベルト緊締手段を有している。なお、図１中、参照符号ＣＵは楔状骨、ＣＢは立方骨、ＮＡは舟状骨、ＣＡは踵骨、ＴＡは距骨をそれぞれ示している。
【００５０】
この場合には、サイドステップの際の着地動作時において着用者の足首が内側に傾斜した際に、シューズの履き口部の開きに応じて足甲上部ベルト（２）のベルト部材（２０）が上方に引っ張られ、足甲ベルト（１）の第３のベルト部材（１２）がシューズの内甲側に引っ張られるので、足甲ベルト（１）の第１、第２のベルト部材（１０，１１）をさらに緊締できる。これにより、サイドステップの際の着地動作時にアッパーの外甲側部分が変形するのをより強固に規制できるようになる。
【００５１】
なお、サイドステップの際の着地時にアッパー外甲側部分に作用する押付荷重が過大なものであったり、足甲ベルト（１）によるアッパー足甲部の締付圧が弱かったりした場合には、サイドステップの際の着地時にアッパーの外甲側部分が若干変形することにより、足甲ベルト（１）が外甲側に引っ張られ、その結果、ベルト部材（２０）が下方に引っ張られることになるので、シューズの履き口を締め付けることができるようになり、シューズと足を一体化することができる。
【００５２】
請求項１３の発明では、足甲上部ベルトが、シューズの中足部においてソールの底面側に配設されている。
【００５３】
ここでいう「ソール」とは、アウトソール、ミッドソールの他、ソールを構成するプレート部材等を含む趣旨である。なお、アウトソールの底面側とは、接地面側を指している。
【００５４】
請求項１４の発明では、足甲上部ベルトが、シューズの中足部においてソールを幅方向に貫通するスリットを通って幅方向に配設されている。
【００５５】
請求項１３の発明と同様に、ここでいう「ソール」とは、アウトソール、ミッドソールの他、ソールを構成するプレート部材等を含む趣旨である。
【００５６】
請求項１５の発明では、足甲上部ベルトが、シューズの中足部において、アッパーを幅方向に貫通するスリットを通り、アッパーの内部においてインソールの上面または下面に沿って足幅方向に延びている。
【００５７】
請求項１６の発明では、足甲上部ベルトまたは第３のベルト部材のいずれか一方が一端にＤ環を有しており、足甲上部ベルトまたは第３のベルト部材の他方が、Ｄ環を通って折り返された後、足甲上部ベルト、第３のベルト部材またはアッパーに係脱可能に係止されるようになっている。
【００５８】
請求項１７の発明では、足甲上部ベルトが第３のベルト部材と一体に設けられている。
【００５９】
この場合には、足甲ベルトおよび足甲上部ベルトを一本のベルトで構成でき、緊締構造を簡略化できるので、緊締動作が容易になる。
【００６０】
足甲上部ベルトは、請求項１８の発明では、シューズの外甲側においてアッパーの外側に配設されており、請求項１９の発明では、シューズの外甲側においてアッパーに形成されたスリットを通ってアッパーの内側に配設されている。
【００６１】
足甲上部ベルトをアッパーの内側に配設した場合には、第３のベルト部材のための係止手段の取付位置をアッパー上に容易に確保することができるとともに、足甲上部ベルトのシューズ外甲側配設個所のアッパー上にシューズの意匠を施すことができるようになる。
【００６２】
請求項２０の発明では、足甲上部ベルト緊締手段が、シューズの履き口部の内甲側部分に配設された履き口ベルトに取り付けられたＤ環と、Ｄ環を通ってアッパーの外甲側に折り返された足甲上部ベルトを当該足甲上部ベルトまたはアッパー外甲側部分に係止するための係脱可能な係止手段とから構成されている。
【００６３】
請求項２１の発明では、足甲上部ベルト緊締手段が、足甲上部ベルトの先端に取り付けられたＤ環と、シューズの履き口部に配設された履き口ベルトと、Ｄ環を通って折り返された履き口ベルトを当該履き口ベルトまたはアッパーに係止するための係脱可能な係止手段とから構成されている。
【発明の効果】
【００６４】
以上のように本発明に係るスポーツシューズの緊締構造によれば、足甲ベルトを構成する第１、第２のベルト部材の始端を、第５指基節骨骨体側面に相当する位置および第５指中足骨骨体側面に相当する位置の各アッパー部位に配置するようにしたので、サイドステップの際の着地時に足からアッパーに作用する押付圧を第１、第２のベルト部材で略均等に受けることができ、これにより、アッパーの変形を効果的に規制できる。また、この場合、サイドステップの際の足の着地時に第５指が中足趾節関節で屈曲する際に、第５指の屈曲が各ベルト部材によって阻害されるのを防止できるとともに、第５指に対する足当りを良好にすることができる。しかも、この場合には、足甲ベルト緊締手段により第３のベルト部材を緊締した際に、第５指中足趾節関節の前後位置における第５指の部位が各ベルト部材により挟み込まれるようにして保持されるので、第５指がシューズのアッパー内で前後方向にずれるのを確実に防止できる。さらに、第３のベルト部材の終端を、第１指中足骨骨頭位置を避けて、屈曲動作時にアッパーの圧縮ひずみが小さい、第１指中足骨骨体側面に相当する位置のアッパー部位に配置するようにしたので、屈曲動作時の足当りを良好にすることができる。また、第３のベルト部材の配設方向を接地時の最大せん断力方向と一致させることができ、これにより、サイドステップの際の着地動作時に生じる床反力を第３のベルト部材で効果的に支持できるようになる。
【発明を実施するための最良の形態】
【００６５】
以下、本発明の実施例を添付図面に基づいて説明する。
＜第１の実施例＞
図２ないし図４は、本発明の第１の実施例によるバレーボールシューズを示しており、図２はシューズの外甲側側面概略図、図３は図２の平面概略図、図３Ａは図３のシューズ全体を正面側上方から見た斜視図、図４は図２の内甲側側面概略図である。なお、図２、図３および図４では、シューズの前足部のみが実線で示されており、その後方側部分は二点鎖線で示されている。また、図３Ａは、図３中の一点鎖線に対応している。
【００６６】
これらの図に示すように、バレーボールシューズ１００は、ソール１０１と、ソール１０１の上に固着されたアッパー１０２とを備えている。アッパー１０２の足甲部には、緊締構造を構成する足甲ベルト１が配設されている。
【００６７】
足甲ベルト１は、アッパー１０２の外甲側において略Ｖ字状に交差するように配設された第１および第２のベルト部材１０，１１と、両ベルト部材１０，１１の交差個所からアッパー３の内甲側まで延びる第３のベルト部材１２とから構成されている。足甲ベルト１は、アッパー１０２の足甲部上において、略Ｙ字状に配設されている。
【００６８】
第１のベルト部材１０は、始端Ａから終端Ｃまで延びており、第２のベルト部材１１は、始端Ｂから終端Ｃまで延びている。第１のベルト部材１０は、始端Ａでアッパー１０２に固着されており、第２のベルト部材１１は、始端Ｂでアッパー１０２に固着されている。第３のベルト部材１２は、第１、第２のベルト部材１０，１１の終端Ｃを始端として終端Ｄまで延びている。
【００６９】
ここで、各端Ａ，Ｂ，Ｃ，Ｄは、図１中の各端Ａ，Ｂ，Ｃ，Ｄにそれぞれ対応している。すなわち、始端Ａは、着用者の足の第５指基節骨ＰＰ５骨体側面に相当する位置のアッパー部位に配置されており、始端Ｂは、第５指中足骨ＭＢ５骨体側面に相当する位置のアッパー部位に配置されており、終端Ｃは、第４指中足骨ＭＢ４骨頭上に相当する位置のアッパー部位上に配置されている。終端Ｄは、着用者の足の第１指中足骨ＭＢ１骨体側面に相当する位置のアッパー部位に配置されている。
【００７０】
アッパー１０２の内甲側には、第３のベルト部材１２の配設方向に沿って延びるベルト片１３が設けられている。ベルト片１３の下端は、アッパー１０２の下部に固着されている。ベルト片１３の上端には、Ｄ環１４が取り付けられている。第３のベルト部材１２がベルト片１３のＤ環１４を通って足甲側に折り返されるために、終端Ｄの上にはベルト片１３が配置されている。
【００７１】
第３のベルト部材１２の端部には、Ｄ環１４を通ってアッパー外甲側に折り返された当該第３のベルト部材１２の係止手段としての面ファスナ部材１２ａが固着されている。一方、面ファスナ部材１２ａに対応した当該第３のベルト部材１２上の部位またはアッパー外甲側部位には、面ファスナ１２ａに係脱可能に係合し得る面ファスナ部材が固着されている。
【００７２】
ここで、図３には、Ｄ環１４を通った第３のベルト部材１２が、当該第３のベルト部材１２上に折り返された例（同図実線参照）と、その後方側の足甲上に折り返された例（同図一点鎖線参照）とが示されている。後者のように、第３のベルト部材１２をアッパー外甲側に折り返して面ファスナ１２ａによりアッパー外甲側部位に止着した場合には、アッパー中足部位のアッパー開口部（図示せず）を挟んだ内外甲側部分にも緊締力を及ぼすことができ、これにより、足の屈曲時におけるアッパー開口部のねじれや左右の開きを規制できる。
【００７３】
図３Ａは、第３のベルト部材１２が足甲側に折り返された例に対応しており、さらに、この場合には、第３のベルト部材１２は、アッパー１０２の外甲側部分から足甲側に向かって延設されたベルト部材１５の上に面ファスナ部材を介して係脱自在に係合している。ベルト部材１５の先端は、第３のベルト部材１２に連結されている。
【００７４】
次に、本実施例の作用効果について説明する。
着用者がシューズ１００を履いて、足甲ベルト１により緊締する際には、第３のベルト１２をＤ環１４内に通してからアッパー外甲側に折り返し、面ファスナ１２ａによって、第３のベルト部材１２上に止着し（図３実線参照）、またはアッパー外甲側部位に止着する（同図一点鎖線参照）。
【００７５】
この場合には、足甲ベルト１を構成する第１、第２のベルト部材１０，１１の始端Ａ，Ｂが、第５指基節骨ＰＰ５骨体側面に相当する位置および第５指中足骨ＭＢ５骨体側面に相当する位置の各アッパー部位に配置されているので、サイドステップの際の着地時に足からアッパーに作用する押付圧を第１、第２のベルト部材１０，１１で略均等に受けることができ、これにより、アッパー１０２の変形を効果的に規制できる。
【００７６】
また、第１、第２のベルト部材１０，１１の始端Ａ，Ｂが足の第５指中足趾節関節ＭＪ５を外れた位置に配置されているので、サイドステップの際の足の屈曲時に第５指が中足趾節関節ＭＪ５で屈曲する際に、第５指の屈曲が各ベルト部材１０，１１によって阻害されるのを防止できるとともに、第５指に対する足当りを良好にすることができる。
【００７７】
しかも、足甲ベルト１がアッパーの足甲部上にＹ字状に配設されているので、第３のベルト部材１２を緊締した際には、第３のベルト部材１２の張力が第１、第２のベルト部材１０，１１のＶ字状の配設部分に作用する。すると、第５指中足趾節関節ＭＪ５の前後位置における第５指の部位が各ベルト部材１０，１１により挟み込まれるようにして保持される。これにより、足の第５指がシューズのアッパー内で前後方向にずれるのを確実に防止できるようになる。
【００７８】
さらに、第１、第２のベルト部材１０，１１の終端Ｃが、第４指中足骨ＭＢ４骨頭上に相当する位置のアッパー部位に配置されているので、サイドステップの際の足の屈曲時に、各ベルト部材が各足指の屈曲の妨げになることがない。この点を図１を用いてより詳細に説明すると、同図において、第１、第２のベルト部材１０，１１の終端Ｃを、第３のベルト部材１２の配設方向であるＣＤ方向に沿って内甲側（つまり線分ＣＤ上において終端Ｄ寄りの位置）に配置した場合には、始端Ａおよび終端Ｃを結ぶ第１のベルト部材１０が第４指中足趾節関節ＭＪ４上を通ることになって、第４指の屈曲を妨げることになる。その一方、第１、第２のベルト部材１０，１１の終端Ｃを、第３のベルト部材１２の配設方向であるＣＤ方向に沿って外甲側（つまり線分ＣＤの始端Ｃ側への延長線上の位置）に配置した場合には、始端Ａおよび終端Ｃを結ぶ第１のベルト部材１０が第５指中足趾節関節ＭＪ５上を通ることになって、第５指の屈曲を妨げることになる。これに対して、第１、第２のベルト部材１０，１１の終端Ｃを第４指中足骨ＭＢ４骨頭上に配置した場合には、第１のベルト部材１０が（第２のベルト部材１１についても）足指の屈曲を妨げることはない。
【００７９】
また、既述したように、第３のベルト部材１２の配設方向は、始端Ｃから終端Ｄに向かう方向であるが、この場合、終端Ｄを第１指中足骨ＭＢ１の骨体のどの位置に配置したところで、第３のベルト部材１２の配設方向は、図１中の矢印Ｘ方向および矢印Ｙ方向で挟まれた領域に位置している。これにより、第３のベルト部材１２の配設方向を最大せん断力方向と一致させることができ、これにより、サイドステップの際の着地動作時に生じる床反力を第３のベルト部材１２によって効果的に支持できるようになる。
【００８０】
さらに、終端Ｄが、第１指中足骨ＭＢ１骨頭位置を避けて、第１指中足骨ＭＢ１骨体側面に相当する位置に配設されているので、ベルト片１３による第１指への足当りを良好にすることができる。
【００８１】
第２のベルト部材１１の始端Ｂは、図１に示すように、第５指中足骨ＭＢ５骨頭下部に相当する位置に配置されているのが好ましい。
【００８２】
この場合には、第１、第２のベルト部材１０，１１によるＶ字状の配設部分の交差角度が小さくなって、第５指基節骨ＰＰ５の骨底部および第５指中足骨ＭＢ５の骨頭部が第１、第２のベルト部材１０，１１で強固に挟持されることになるので、足の第５指がシューズのアッパー内で前後方向にずれるのをより確実に防止できるようになる。
【００８３】
なお、第２のベルト部材１１の始端Ｂは、第５指中足骨ＭＢ５骨体の中央部に相当する位置に配置されていてもよい。
【００８４】
第２のベルト部材１１の始端Ｂの位置としては、少なくとも第５指中足骨ＭＢ５の骨頭位置を避けていることが必要であるが、第５指中足骨ＭＢ５が長さの長い骨であるため、第２のベルト部材１１の始端Ｂの位置は、第５指中足骨ＭＢ５の骨体の前側の位置に限らず、中央の位置でもよい。
【００８５】
第３のベルト部材１２の終端Ｄは、第１指中足骨ＭＢ１骨体の中央部に相当する位置に配置されているのが好ましい。
【００８６】
この場合には、既述したように、第３のベルト部材１２の配設方向が、図１中の矢印Ｘ方向と矢印Ｙ方向の中央値の方向（すなわち、長軸Ｌから約７０°の方向）と一致しており、平均的な最大せん断力方向と一致させることができ、これにより、サイドステップの際の着地動作時に生じる床反力を第３のベルト部材１２によって一層効果的に支持できるようになる。
【００８７】
＜第２の実施例＞
図５は、本発明の第２の実施例によるバレーボールシューズの内甲側側面概略図である。同図中、前記第１の実施例と同一符号は同一または相当部分を示している。
【００８８】
前記第１の実施例では、第３のベルト部材１２のベルト通し具として、ベルト片１３に取り付けられたＤ環１４を用いた例を示したが、この第２の実施例では、ソール１０１内のウェーブプレート１０３に形成されたスリット１０３ａを用いている。
【００８９】
図５に示すように、ソール１０１は、下方に配置され、波形状面を有する下部ソール１０１Ａと、その上方に配置され、下部ソール１０１Ａの波形状面に対応した波形状面を有する上部ソール１０１Ｂとから構成されており、ウェーブプレート１０３は、上下部ソール１０１Ａ，１０１Ｂの各波形状面で挟持されている。ウェーブプレート１０３は、前後方向（同図左右方向）に進行する波形状を有しており、例えば硬質樹脂製の部材である。ウェーブプレート１０３は、上方に立ち上がる巻上げ部１０３Ａを側部に有している。巻上げ部１０３Ａには、第３のベルト部材１２を通すためのスリット１０３ａが形成されている。
【００９０】
この場合には、着地時のソールの横触れを防止するためのウェーブプレート１０３の巻上げ部１０３Ａを利用してウェーブプレート１０３にスリット１０３ａを設けることができ、Ｄ環のような別個の部材を設ける必要がない。しかも、この場合には、硬質樹脂製の部材にスリットが形成されるので、スリットとしての強度を確保できる。また、前記第１の実施例のように、ベルト通し具としてＤ環を用いた場合には、着用者の足に対する足当たり感を悪化させないように、Ｄ環の位置を考慮する必要があるが、スリットの場合には、このような配慮をする必要がない。
【００９１】
なお、この第２の実施例では、波形状のウェーブプレートにスリットを形成した例を示しているが、スリットは、平坦状のプレートに形成するようにしてもよい。あるいは、プレートを用いることなく、軟質弾性部材製のミッドソールや硬質弾性部材製のアウトソール自体にスリットを形成するようにしてもよい。
【００９２】
＜第３の実施例＞
図６および図７は、本発明の第３の実施例によるバレーボールシューズを説明するための図であって、図６はバレーボールシューズの内甲側側面概略図、図７はその外甲側側面概略図である。各図中、前記第１の実施例と同一符号は同一または相当部分を示している。
【００９３】
この第３の実施例では、足甲ベルト１に加えて、足甲上部ベルト２が設けられている点が前記第１の実施例と異なっている。足甲上部ベルト２は、単一のベルト部材２０から構成されている。
【００９４】
ベルト部材２０は、図１の模式図に示すように、第２のベルト１１の始端    Ｂの後方であって第５指中足骨ＭＢ５骨体側面に相当する位置Ｅからアッパーの足甲上部（すなわち楔状骨ＣＵおよび舟骨ＮＡの上方）を通ってシューズの履き口部の内甲側部分の位置Ｆまで延びるとともに、シューズの中足部において実質的に足幅方向に延設されて（図１中の点線参照）、第３のベルト部材１２に連結されている。ベルト部材２０のシューズ中足部における配設方向としては、第３のベルト部材１２の終端Ｄにおいてソールの長軸Ｌに直交する垂線に対して第３のベルト部材１２と対称な方向に配設されているのが好ましい。
【００９５】
ベルト部材２０は、シューズの中足部においてソール１０１の底面側（つまりアウトソール接地面側）に配設されている。ベルト部材２０は、その一端にＤ環１４を有しており、Ｄ環１４を介して足甲ベルト１の第３のベルト部材１２に連結されている。ベルト部材２０の他端は、シューズの履き口部の内甲側部分に設けられたＤ環３１を通って履き口の外甲側部分に沿って折り返されるとともに、面ファスナ部材２０ａによってアッパー外甲側部分に係脱可能に止着されている。Ｄ環３１は、ベルト部材２０の履き口内甲側部への配設方向と一致する方向に沿って履き口部の内甲側部分に配設された履き口ベルト３の先端に取り付けられている。ベルト部材２０の終端Ｆの位置には、履き口ベルト３が配設されている。また、ベルト部材２０は、シューズの外甲側において、アッパー１０２の上に配設されている。
【００９６】
この場合、サイドステップの際の着地時に、アッパー１０２の外甲側部分の変形が足甲ベルト１により規制される点は、前記第１の実施例と同様であるが、この第３の実施例においては、さらに、サイドステップの際の着地動作時において着用者の足首が内側に傾斜した際に、シューズの履き口部の開きに応じて足甲上部ベルト２のベルト部材２０が上方に引っ張られ、Ｄ環１４を介して足甲ベルト１の第３のベルト部材１２がシューズの内甲側に引っ張られるので、足甲ベルト１の第１、第２のベルト部材１０，１１をさらに緊締できる。これにより、サイドステップの際の着地動作時にアッパー１０２の外甲側部分が変形するのをより強固に規制できるようになる。
【００９７】
なお、サイドステップの際の着地時にアッパー外甲側部分に作用する押付荷重が過大なものであったり、足甲ベルト１によるアッパー足甲部の締付圧が弱かったりした場合には、サイドステップの際の着地時にアッパー１０２の外甲側部分が若干変形することにより、足甲ベルト１が外甲側に引っ張られ、その結果、Ｄ環１４を介してベルト部材２０が下方に引っ張られることになるので、シューズの履き口を締め付けることができるようになる。
【００９８】
また、この場合には、足甲ベルト１を緊締してアッパー１０２の足甲部を締め付ける際に、足甲上部ベルト２のベルト部材２０を介してシューズの履き口を締め付けることができ、その一方、足甲上部ベルト２のベルト部材２０を緊締してシューズの履き口部を締め付ける際に、足甲ベルト１を介してアッパー１０２の足甲部を締め付けることができるようになる。その結果、フィット性をさらに高めたシューズを実現できる。
【００９９】
なお、Ｄ環１４は、第３のベルト部材１２の先端に取り付けられていてもよい。この場合、ベルト部材２０が第３のベルト部材１２のＤ環１４を通って折り返された後、当該第３のベルト部材１２の上に面ファスナ（図示せず）を介して係脱可能に止着される。
【０１００】
同様に、Ｄ環３１は、ベルト部材２０の先端に取り付けられていてもよい。この場合、履き口ベルト３がベルト部材２０のＤ環３１を通ってアッパー内甲側部分に折り返された後、当該履き口ベルト３またはアッパー１０２の上に面ファスナ（図示せず）を介して係脱可能に止着される。
【０１０１】
＜第４の実施例＞
図８は、本発明の第４の実施例によるバレーボールシューズの内甲側側面概略図である。同図中、前記第３の実施例と同一符号は同一または相当部分を示している。
【０１０２】
前記第３の実施例では、ベルト部材２０がシューズの中足部においてソール１０１の底面側（アウトソール接地面側）に配設された例を示したが、この第４の実施例では、ベルト部材２０がシューズの中足部においてソール１０１の内部を挿通している。
【０１０３】
図８に示すように、ソール１０１には、ソール１０１を実質的に幅方向に貫通するスリット１０１ａが形成されており、ベルト部材２０は、スリット１０１ａ内に配設されている。なお、スリット１０１ａの貫通方向としては、好ましくは、前記第３の実施例におけるベルト部材２０の配設方向（図１中の点線ＤＥ方向）と同一である。また、ベルト部材２０は、シューズの外甲側においてスリット１０１ａから出た後、前記第３の実施例と同様に、アッパー１０２の足甲上部を通ってシューズの履き口部の内甲側部分の位置のＤ環３１まで延び、Ｄ環３１を通って折り返されるとともに、アッパー１０２の外甲側部分に止着されている（図７参照）。
【０１０４】
なお、ソール１０１としては、ミッドソールの他、ソールを構成するプレート部材等を含んでいる。また、ベルト部材２０は、ミッドソールやプレート部材等の内部を貫通するスリットに通す場合に限らず、ソールを構成する部材同士の界面、たとえばミッドソールおよびアウトソール間の界面、ミッドソールおよびウェーブプレート間の界面、上下に積層された各ウェーブプレート間の界面に沿って配設するようにしてもよい。さらに、ベルト部材２０は、ソール幅方向の配設部分において、ソール幅方向全体にわたってソール内部に配設されていなくてもよく、一部がソール外部に露出していてもよい。
【０１０５】
＜第５の実施例＞
図９は、本発明の第５の実施例によるバレーボールシューズの内甲側側面概略図である。同図中、前記第４の実施例と同一符号は同一または相当部分を示している。
【０１０６】
前記第４の実施例では、ベルト部材２０がシューズの中足部においてソール１０１の内部を挿通している例を示したが、この第５の実施例では、ベルト部材２０が、シューズの中足部においてアッパー１０２を挿通している。
【０１０７】
図９に示すように、アッパー１０２には、アッパー１０２を厚み方向に貫通するスリット１０２ａが形成されている。すなわち、図９には明確に表れていないが、シューズの外甲側のアッパー部位にも同様のスリット１０２ａが形成されている。ベルト部材２０は、アッパー１０２の内外甲側の各スリット１０２ａを通ってシューズの中足部を挿通している。各スリット１０２ａの形成位置としては、各スリット１０２ａを通るベルト部材２０の配設方向が前記第３の実施例におけるベルト部材２０の配設方向（図１中の点線ＤＥ方向）と同一となるような位置が好ましい。
【０１０８】
また、ベルト部材２０は、シューズの内部において、インソール（図示せず）の上面または下面に配設されている。インソールは、着用者の足裏に直接接触する部材であるため、ベルト部材２０をインソール上に配設する場合には、足当り感を良好にするために、ベルト部材２０の足裏当接部位を幅広に形成して、足裏に対する面圧を下げるようにするのが好ましい。なお、ベルト部材２０のシューズ外甲側における取付けは、前記第４の実施例の場合と同様である。
【０１０９】
＜第６の実施例＞
前記第３ないし第５の実施例では、足甲ベルト１および足甲上部ベルト２がそれぞれ別個の部材として設けられた例を示したが、本発明の適用はこれに限定されない。図１０は、本発明の第６の実施例によるバレーボールシューズの内甲側側面概略図である。同図中、前記第３の実施例と同一符号は同一または相当部分を示している。
【０１１０】
この第６の実施例では、足甲ベルト１および足甲上部ベルト２が一体に設けられており、足甲ベルト１および足甲上部ベルト２が単一のベルト部材により構成されている。
【０１１１】
図１０に示すように、足甲上部ベルト２のベルト部材２０は、シューズの中足部においてソール１０１の底面側（アウトソール接地面側）に配設されるとともに、シューズの内甲側においてソール１０１の上部に形成されたスリット１０１ｂを通って、アッパー１０２の上部から外甲側まで延びている。アッパー１０２の外甲側において、ベルト部材２０は、足甲ベルト１の第１、第２のベルト部材１０，１１（図７参照）に対応する位置において二股に分岐して配設されている。
【０１１２】
この場合には、足甲ベルト１および足甲上部ベルト２を一本のベルトで構成でき、緊締構造を簡略化できるので、緊締動作が容易になる。
【０１１３】
なお、シューズの内甲側においてベルト部材２０を通すスリットは、ソール１０１に形成する場合に限らない。図１０Ａに示すように、上下部ソール１０１Ａ，１０１Ｂ間に介装されたウェーブプレート１０３の巻上げ部１０３Ａに形成したスリット１０３ａを用いるようにしてもよい。
【０１１４】
＜第７の実施例＞
図１１は、本発明の第７の実施例によるバレーボールシューズの内甲側側面概略図である。同図中、前記第４および第６の実施例と同一符号は同一または相当部分を示している。
【０１１５】
この第７の実施例においても、前記第６の実施例と同様に、足甲ベルト１および足甲上部ベルト２が単一のベルト部材により一体に設けられているが、この場合には、シューズの中足部における足甲上部ベルト２のベルト部材２０の配設の仕方が、前記第６の実施例とは異なり、前記第４の実施例と同様になっている。
【０１１６】
すなわち、ベルト部材２０は、ソール１０１に実質的に幅方向に貫通形成されたスリット１０１ａ内に配設されるとともに、アッパー１０２の外甲側において、足甲ベルト１の第１、第２のベルト部材１０，１１（図７参照）に対応する位置で二股に分岐して配設されている。
【０１１７】
＜第８の実施例＞
前記第３ないし第７の実施例では、足甲上部ベルト２のベルト部材２０が、シューズの外甲側において、アッパー１０２上（つまりアッパー１０２の外側）に配設された例を示したが、本発明の適用はこれに限定されない。図１２は、本発明の第８の実施例によるバレーボールシューズの外甲側側面概略図である。同図中、前記第３の実施例と同一符号は同一または相当部分を示している。
【０１１８】
図１２に示すように、アッパー１０２の外甲側部分には、アッパー１０２を厚み方向に貫通するスリット１０２ｂが形成されている。ベルト部材２０は、スリット１０２ｂ内に挿入されるとともに、アッパー１０２の内側を通って足甲上部まで配設されている。
【０１１９】
この場合には、足甲ベルト１の第３のベルト部材１２をアッパー外甲側に止着するための面ファスナの取付位置（図３点線参照）をアッパー１０２の上に容易に確保できるとともに、ベルト部材２０のシューズ外甲側配設個所におけるアッパー１０２の上にシューズの意匠を施すことができるようになる。
【０１２０】
＜効果確認試験の結果＞
次に、本発明による緊締構造の効果を確認するために確認試験を行った。以下に、試験の概要および結果を示す。
ａ）試験方法
テスト品：  図１１に記載の第７の実施例によるシューズの同等品（着用者の足の第５指中足骨骨頭に相当するアッパー部位に加速度センサを取り付けた）
被験者：    インドア系種目の競技者Ａ，Ｂ，Ｃの３名
試験方法：  各被験者について、左右へのサイドステップを反復的に５回試行させる動作を１セットとして、計５セット行ってもらった。そして、各セットにおいて、最後の５試行目の踏み込み時を測定対象として加速度を測定した（５試行目としたのは動作を安定させるため）。また、全セットにおける５つの測定値において、最大値と最小値を除いた残りの３つの測定値を採用した（最大値および最小値を除いたのは、計測のばらつきを排除するため）。さらに、ベルト部材のみによる効果をみるために、同じシューズでベルト部材を緊締したもの（ベルト有りの状態）と緩めたもの（ベルト無しの状態）とで比較した。
ｂ）試験結果
各被験者について、測定した加速度の時間的変化をそれぞれグラフにした。図１３は、或る被験者について測定した加速度の時間的変化を示しており、横軸が時間（ｍｓｅｃ）を、縦軸が加速度（Ｇ）をそれぞれ示している。同図に示すように、最大加速度が発生してから加速度が５（Ｇ）になったときに振動が減衰した（つまり衝撃が緩和された）ものとみなして、この最大加速度発生時から振動減衰時に要する時間ｔを各被験者について求めた。この時間ｔが短いほど、ベルト部材の緊締による振動減衰効果が発揮されており、アッパーの変形が瞬時に抑えられていると考えられる。
【０１２１】
図１４は、各被験者Ａ，Ｂ，Ｃについて求めた時間ｔの値をグラフにしたものである。同図において、斜線の入った棒グラフがベルト部材を緊締した場合を示し、白抜きの棒グラフがベルト部材を緩めた場合を示している。各棒グラフは、各被験者が行った３回の試行の平均値を示している。
【０１２２】
図１４から容易に分かるように、いずれの被験者の場合も、ベルト部材を緩めたベルト無しの状態よりもベルト部材を緊締したベルト有りの状態の方が振動減衰に要する時間ｔが短くなった。これにより、本発明によるベルト部材をシューズに設けてこれを緊締することにより、サイドステップ時にはシューズのアッパーの変形を効果的に規制できることが分かった。
【０１２３】
＜その他の実施例＞
前記各実施例において、上述した各ベルトを構成する素材としては、例えば人工皮革やナイロン等の合成繊維が用いられるが、これらに限定されるものではなく、ベルト素材として一般に用いられる材料であれば任意の材料を用い得る。
【０１２４】
また、ワイヤや靴紐などの部材を介在させて二つのベルトを連結することにより、ベルトを構成するようにしてもよい。例えば、ベルト部材２０において、シューズ中足部の配設部分をワイヤにより構成するとともに、ワイヤの両端を帯状の人工皮革製ベルト部材に固着するようにしてもよい。この場合には、シューズ中足部におけるベルト部材２０の接触面積を小さくできるので、ベルト部材２０がシューズ幅方向に滑りやすくなって、ベルト部材２０による緊締力を増加させることができる。
【０１２５】
＜他の適用例＞
前記各実施例では、本発明による緊締構造が適用されるスポーツシューズとして、バレーボールシューズを例にとって説明したが、本発明は、バレーボールシューズの他、バスケットボールシューズやバドミントンシューズ、ハンドボールシューズ、卓球用シューズ、フィットネスシューズ、フットサルシューズ、テニスシューズ、サッカーシューズ、ラグビーシューズ、野球シューズなどの競技用スポーツシューズにも適用できる。
【図面の簡単な説明】
【０１２６】
【図１】本発明によるスポーツシューズの緊締構造を説明するための模式図である。
【図２】本発明の第１の実施例によるバレーボールシューズの外甲側側面概略図である。
【図３】バレーボールシューズ（図２）の平面概略図である。
【図３Ａ】図３のシューズ全体を正面側上方から見た斜視図である。
【図４】バレーボールシューズ（図２）の内甲側側面概略図である。
【図５】本発明の第２の実施例によるバレーボールシューズの内甲側側面概略図である。
【図６】本発明の第３の実施例によるバレーボールシューズの内甲側側面概略図である。
【図７】バレーボールシューズ（図６）の外甲側側面概略図である。
【図８】本発明の第４の実施例によるバレーボールシューズの内甲側側面概略図である。
【図９】本発明の第５の実施例によるバレーボールシューズの内甲側側面概略図である。
【図１０】本発明の第６の実施例によるバレーボールシューズの内甲側側面概略図である。
【図１０Ａ】図１０の変形例を示す図である。
【図１１】本発明の第７の実施例によるバレーボールシューズの内甲側側面概略図である。
【図１２】本発明の第８の実施例によるバレーボールシューズの外甲側側面概略図である。
【図１３】或る被験者について、サイドステップ時に当該被験者の第５指中足骨骨頭に作用する加速度の時間的変化を表すグラフである。
【図１４】ベルト有りのシューズとベルト無しのシューズのそれぞれについて、図１３における最大加速度発生時から衝撃緩和までに要した時間を被験者ごとにまとめたグラフである。
【図１５】サイドステップの際の足の屈曲時の足の状態をシューズの内甲側において真横から見た図である。
【図１６】図１５のシューズを同図のやや前方上側から見た図であって、アッパーの圧縮ひずみ分布を併せて示す図である。
【図１７】被験者の足の第１指〜第５指に圧力センサシートＳ１〜Ｓ８を貼着した状態を示す図である。
【図１８】被験者が圧力センサシートＳ１〜Ｓ８を足に貼り付けた状態でシューズを履いてサイドステップを行った際に、各圧力センサシートＳ１〜Ｓ８により検出された各圧力を一つの図にまとめた圧力分布図である。
【図１９】サイドステップの際の足の着地時に足からシューズのアッパーに作用する押付圧によりアッパーに発生する引張応力の分布をコンピュータシミュレーションにより求めてこれを足の骨格図の上に重ねて表したものである。
【符号の説明】
【０１２７】
１：  足甲ベルト
１０：  第１のベルト部材
１１：  第２のベルト部材
１２：  第３のベルト部材
１２ａ：  面ファスナ（係止手段）
１３：  ベルト片
１４：  Ｄ環
２：  足甲上部ベルト
２０：  ベルト部材
２０ａ：  面ファスナ（係止手段）
３：  ベルト部材
３１：  Ｄ環
１００：  バレーボールシューズ
１０１：  ソール
１０１ａ：  スリット
１０２：  アッパー
１０２ａ：  スリット
１０３：  ウェーブプレート
１０３Ａ：  巻上げ部
１０３ａ：  スリット
Ａ：  第５指基節骨骨体側面相当位置
Ｂ：  第５指中足骨骨体側面相当位置
Ｃ：  第４指中足骨骨頭上相当位置
Ｄ：  第１指中足骨骨体側面相当位置
Ｅ：  第５指中足骨骨体側面相当位置
ＰＰ５：  第５指基節骨
ＭＢ５：  第５指中足骨
ＭＢ４：  第４指中足骨
ＭＢ１：  第１指中足骨
【図２】
2008259685.tif 000003
【図３】
2008259685.tif 000004
【図３Ａ】
2008259685.tif 000005
【図４】
2008259685.tif 000006
【図５】
2008259685.tif 000007
【図６】
2008259685.tif 000008
【図７】
2008259685.tif 000009
【図８】
2008259685.tif 000010
【図９】
2008259685.tif 000011
【図１０】
2008259685.tif 000012
【図１１】
2008259685.tif 000013
【図１２】
2008259685.tif 000014
【図１３】
2008259685.tif 000015
【図１４】
2008259685.tif 000016
【図１５】
2008259685.tif 000017
【図１】
2008259685.tif 000018
【図１０Ａ】
2008259685.tif 000019
【図１６】
2008259685.tif 000020
【図１７】
2008259685.tif 000021
【図１８】
2008259685.tif 000022
【図１９】
2008259685.tif 000023